【手続補正書】
【提出日】平成23年8月18日(2011.8.18)
【手続補正１】
【補正対象書類名】明細書
【補正対象項目名】００５１
【補正方法】変更
【補正の内容】
【００５１】
実施例２
型紙によって布を布原型にカットし、これらの原型を縫い合わせて産業で保護衣として使用するための防護カバーオールを形成することによって、衣類をはじめとする保護物品へ実施例１の布を仕立て上げる。同様に、布を布原型にカットし、これらの原型を縫い合わせて防護シャツおよび１対の防護ズボン１着を含む保護衣組み合わせを形成する。必要ならば、布をカットし、縫って、カバーオール、頭巾、袖、およびエプロンなどの他の保護衣構成要素を形成する。
次に、本発明の好ましい態様を示す。
１  糸中のポリマー繊維および織物繊維の１００重量部を基準として；４，４’ジアミノジフェニルスルホン、３，３’ジアミノジフェニルスルホン、およびそれらの混合物からなる群より選択されたモノマーから誘導されたポリマーまたはコポリマーを含有する２５〜９０重量部のポリマーステープルファイバーと；
２１以上の限界酸素指数を有する１０〜７５重量部の織物ステープルファイバーと
を含む難燃性紡績糸。
２  糸中のポリマーステープルファイバーおよび織物ステープルファイバーの１００重量部を基準として、前記ポリマーステープルファイバーが５０〜７５重量部の量で存在し、前記織物ステープルファイバーが２５〜５０重量部の量で存在する、上記１に記載の難燃性紡績糸。
３  糸中のポリマーステープルファイバーおよび織物ステープルファイバーの１００重量部を基準として、前記ポリマーステープルファイバーが６０〜７０重量部の量で存在し、前記織物ステープルファイバーが３０〜４０重量部の量で存在する上記２に記載の難燃性紡績糸。
４  前記ポリマーステープルファイバーに使用されるポリマーまたはコポリマーの少なくとも８０モルパーセントがスルホンアミンモノマーまたはスルホンアミンモノマーの混合物から誘導される上記１に記載の難燃性紡績糸。
５  前記織物ステープルファイバーが１デニール当たり３．５グラム（１デシテックス当たり３．２グラム）以上の靱性を有する上記１に記載の難燃性紡績糸。
６  前記織物ステープルファイバーが１デニール当たり４グラム（１デシテックス当たり３．６グラム）以上の靱性を有する上記５に記載の難燃性紡績糸。
７  前記高分子ポリマーが、塩化テレフタロイル、塩化イソフタロイル、およびそれらの混合物の群より選択されたモノマーから誘導された構造をさらに含有する上記１に記載の難燃性紡績糸。
８  前記織物ステープルファイバーがポリ（メタ−フェニレンイソフタルアミド）を含む上記１に記載の難燃性紡績糸。
９  前記織物ステープルファイバーが、パラ−アラミド、ポリベンズアゾール、ポリピリダゾール、ポリオキサジアゾールおよびそれらの混合物の群より選択された繊維である上記１に記載の難燃性紡績糸。
１０  上記１に記載の糸を含む織布。
１１  上記１に記載の糸を含む防護服。
１２  ａ）糸中のポリマー繊維および織物繊維の１００重量部を基準として、４，４’ジアミノジフェニルスルホン、３，３’ジアミノジフェニルスルホン、およびそれらの混合物からなる群より選択されたモノマーから誘導されたポリマーまたはコポリマーを含有する２５〜９０重量部のポリマーステープルファイバーと；２１の限界酸素指数を有する１０〜７５重量部の織物ステープルファイバーとの繊維混合物を形成する工程と；
ｂ）この繊維混合物を紡績スフ糸へ紡績する工程と
を含む難燃性紡績糸の製造方法。
１３  糸中のポリマーステープルファイバーおよび織物ステープルファイバーの１００重量部を基準として、前記ポリマーステープルファイバーが５０〜７５重量部の量で存在し、前記織物ステープルファイバーが２５〜５０重量部の量で存在する上記１２に記載の難燃性紡績糸の製造方法。
１４  糸中のポリマーステープルファイバーおよび織物ステープルファイバーの１００重量部を基準として、前記ポリマーステープルファイバーが６０〜７０重量部の量で存在し、前記織物ステープルファイバーが３０〜４０重量部の量で存在する上記１２に記載の難燃性紡績糸の製造方法。
１５  前記ポリマーステープルファイバーに使用されるポリマーまたはコポリマーの少なくとも８０モルパーセントがスルホンアミンモノマーまたはスルホンアミンモノマーの混合物から誘導される上記１２に記載の難燃性紡績糸の製造方法。
１６  前記織物ステープルファイバーが１デニール当たり３．５グラム（１デシテックス当たり３．２グラム）以上の靱性を有する上記１５に記載の難燃性紡績糸の製造方法。
１７  前記織物ステープルファイバーが１デニール当たり４グラム（１デシテックス当たり３．６グラム）以上の靱性を有する上記１６に記載の難燃性紡績糸の製造方法。
１８  前記高分子ポリマーが、塩化テレフタロイル、塩化イソフタロイル、およびそれらの混合物の群より選択されたモノマーから誘導された構造をさらに含有する上記１２に記載の難燃性紡績糸の製造方法。
１９  前記織物ステープルファイバーがポリ（メタ−フェニレンイソフタルアミド）を含む上記１２に記載の難燃性紡績糸の製造方法。
２０  前記織物ステープルファイバーが、パラ−アラミド、ポリベンズアゾール、ポリピリダゾール、ポリオキアジアゾール、およびそれらの混合物の群より選択された繊維である上記１２に記載の難燃性紡績糸の製造方法。
【手続補正２】
【補正対象書類名】特許請求の範囲
【補正対象項目名】全文
【補正方法】変更
【補正の内容】
【特許請求の範囲】
【請求項１】
糸中のポリマー繊維および織物繊維の１００重量部を基準として；４，４’ジアミノジフェニルスルホン、３，３’ジアミノジフェニルスルホン、およびそれらの混合物からなる群より選択されたモノマーから誘導されたポリマーまたはコポリマーを含有する２５〜９０重量部のポリマーステープルファイバーと；
２１以上の限界酸素指数を有する１０〜７５重量部の織物ステープルファイバーと
からなる難燃性紡績糸。
【請求項２】
糸中のポリマーステープルファイバーおよび織物ステープルファイバーの１００重量部を基準として、前記ポリマーステープルファイバーが５０〜７５重量部の量で存在し、前記織物ステープルファイバーが２５〜５０重量部の量で存在する、請求項１に記載の難燃性紡績糸。
【請求項３】
糸中のポリマーステープルファイバーおよび織物ステープルファイバーの１００重量部を基準として、前記ポリマーステープルファイバーが６０〜７０重量部の量で存在し、前記織物ステープルファイバーが３０〜４０重量部の量で存在する請求項２に記載の難燃性紡績糸。
【請求項４】
前記ポリマーステープルファイバーに使用されるポリマーまたはコポリマーの少なくとも８０モルパーセントがスルホンアミンモノマーまたはスルホンアミンモノマーの混合物から誘導される請求項１に記載の難燃性紡績糸。
【請求項５】
前記織物ステープルファイバーが１デニール当たり３．５グラム（１デシテックス当たり３．２グラム）以上の靱性を有する請求項１に記載の難燃性紡績糸。
【請求項６】
前記織物ステープルファイバーが１デニール当たり４グラム（１デシテックス当たり３．６グラム）以上の靱性を有する請求項５に記載の難燃性紡績糸。
【請求項７】
前記ポリマーステープルファイバーが、塩化テレフタロイル、塩化イソフタロイル、およびそれらの混合物の群より選択されたモノマーから誘導された構造をさらに含有する請求項１に記載の難燃性紡績糸。
【請求項８】
前記織物ステープルファイバーがポリ（メタ−フェニレンイソフタルアミド）を含む請求項１に記載の難燃性紡績糸。
【請求項９】
前記織物ステープルファイバーが、パラ−アラミド、ポリベンズアゾール、ポリピリダゾール、ポリオキサジアゾールおよびそれらの混合物の群より選択された繊維である請求項１に記載の難燃性紡績糸。
【請求項１０】
請求項１に記載の糸を含む織布。
【請求項１１】
請求項１に記載の糸を含む防護服。
【請求項１２】
ａ）糸中のポリマー繊維および織物繊維の１００重量部を基準として、４，４’ジアミノジフェニルスルホン、３，３’ジアミノジフェニルスルホン、およびそれらの混合物からなる群より選択されたモノマーから誘導されたポリマーまたはコポリマーを含有する２５〜９０重量部のポリマーステープルファイバーと；２１の限界酸素指数を有する１０〜７５重量部の織物ステープルファイバーとからなる繊維混合物を形成する工程と；
ｂ）工程（ａ）の繊維混合物を紡績スフ糸へ紡績する工程と
を含む難燃性紡績糸の製造方法。
【請求項１３】
糸中のポリマーステープルファイバーおよび織物ステープルファイバーの１００重量部を基準として、前記ポリマーステープルファイバーが５０〜７５重量部の量で存在し、前記織物ステープルファイバーが２５〜５０重量部の量で存在する請求項１２に記載の難燃性紡績糸の製造方法。
【請求項１４】
糸中のポリマーステープルファイバーおよび織物ステープルファイバーの１００重量部を基準として、前記ポリマーステープルファイバーが６０〜７０重量部の量で存在し、前記織物ステープルファイバーが３０〜４０重量部の量で存在する請求項１２に記載の難燃性紡績糸の製造方法。
【請求項１５】
前記ポリマーステープルファイバーに使用されるポリマーまたはコポリマーの少なくとも８０モルパーセントがスルホンアミンモノマーまたはスルホンアミンモノマーの混合物から誘導される請求項１２に記載の難燃性紡績糸の製造方法。